【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
固定位置に配置されハンドホイールによって駆動可能な第１シャフト（９）；
該第１シャフトに非回転式に設置される第１ギアホイール（１１）；
別の固定位置に配置される第２シャフト（１０）；
該第２シャフトに非回転式に設置される第２ギアホイール（１２）；
該第２シャフト（１０）が該第１シャフト（９）によって駆動できるように該第１ギアホイール（１１）と該第２ギアホイール（１２）が互いに連結されるトランスミッションユニット（２０）；及び
第１（トランスミッション）位置と第２（トランスミッション）位置との間で該トランスミッションユニット（２０）を旋回式にシフトするためのシフトユニット；
を含み、
該トランスミッションユニット（２０）が該第１位置にあるとき、該第１シャフト（９）と該第２シャフト（１０）は同じ方向に回転可能であり、該トランスミッションユニット（２０）が該第２位置にあるとき、該第１シャフト（９）と該第２シャフト（１０）は逆方向に回転可能であり、
該トランスミッションユニット（２０）は、互いに常時かみ合う、第１アイドルギア（２１）と第２アイドルギア（２２）を含んで構成され、該第１位置で、該第１シャフト（９）と該第２シャフト（１０）は一つだけのアイドルギアによって連結されており、また、第２位置で、該第１シャフト（９）と該第２シャフト（１０）は両方のアイドルギアによって連結され、
前記シフトユニットはレバー部材（２３）を含み、該レバー部材（２３）は、該レバー部材の第１端部で旋回可能であり、また、該レバー部材の第２端部で前記第１アイドルギア（２１）および前記第２アイドルギア（２２）と回転的に結合され、
前記シフトユニットは、さらに、作動時に該シフトユニットを第１位置と第２位置の間でシフトするために、前記レバー部材（２３）と係合する作動部材（２６）を含む、
ミクロトーム（５）。
【請求項２】
前記レバー部材（２３）は前記第１端部で前記第１シャフト（９）に回転可能に結合され、その周りで旋回可能である、請求項１に記載のミクロトーム（５）。
【請求項３】
前記レバー部材（２３）の第１端部は、前記第１ギアホイール（１１）、前記第２ギアホイール（１２）、前記第２シャフト（１０）および前記ミクロトームのフレーム（３０）のうちの一つに回転可能に結合される、請求項１に記載のミクロトーム（５）。
【請求項４】
前記作動部材（２６）はカムまたは偏心ピンである、請求項１に記載のミクロトーム（５）。
【請求項５】
前記作動部材（２６）の一つの軸端は前記ミクロトーム（５）のハウジング外に位置し、ユーザによって容易に操作され、また、前記作動部材（２６）の他の軸端は前記レバー部材（２３）の溝内に位置し前記レバー部材（２３）と係合される、請求項４に記載のミクロトーム（５）。
【請求項６】
前記作動部材（２６）は、手動で操作可能であり、該作動部材（２６）の少なくとも一部分が前記ミクロトーム（５）のハウジング外に位置する、請求項１に記載のミクロトーム（５）。
【請求項７】
前記トランスミッションユニット（２０）は、該トランスミッションユニット（２０）の第１位置と第２位置との間で、前記シフトユニットによって手動でシフトできる、請求項１に記載のミクロトーム（５）。
【請求項８】
前記トランスミッションユニット（２０）は、さらに、該トランスミッションユニット（２０）の第１位置と第２位置で、前記トランスミッションユニット（２０）を保持するためのスプリング（２５）を含む、請求項１に記載のミクロトーム（５）。
【手続補正２】
【補正対象書類名】明細書
【補正対象項目名】００４２
【補正方法】変更
【補正の内容】
【００４２】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の全開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
以下に、本発明の好ましい実施の形態を付記する。
（形態１）固定位置に配置されハンドホイールによって駆動可能な第１シャフト；
該第１シャフトに非回転式に設置される第１ギアホイール；
別の固定位置に配置される第２シャフト；
該第２シャフトに非回転式に設置される第２ギアホイール；
該第２シャフトが該第１シャフトによって駆動できるように該第１ギアホイールと該第２ギアホイールが互いに連結されるトランスミッションユニット；及び
第１（トランスミッション）位置と第２（トランスミッション）位置との間で該トランスミッションユニットを旋回式にシフトするためのシフトユニット；
を含み、
該トランスミッションユニットが該第１位置にあるとき、該第１シャフトと該第２シャフトは同じ方向に回転可能であり、該トランスミッションユニットが該第２位置にあるとき、該第１シャフトと該第２シャフトは逆方向に回転可能であり、
該トランスミッションユニットは、互いに常時かみ合う、第１アイドルギアと第２アイドルギアを含んで構成され、該第１位置で、該第１シャフトと該第２シャフトは一つだけのアイドルギアによって連結されており、また、第２位置で、該第１シャフトと該第２シャフトは両方のアイドルギアによって連結され、
前記シフトユニットはレバー部材を含み、該レバー部材は、該レバー部材の第１端部で旋回可能であり、また、該レバー部材の第２端部で前記第１アイドルギアおよび前記第２アイドルギアと回転的に結合され、
前記シフトユニットは、さらに、作動時に該シフトユニットを第１位置と第２位置の間でシフトするために、前記レバー部材と係合する作動部材を含む、
ミクロトーム。
（形態２）上記のミクロトームにおいて、前記レバー部材は前記第１端部で前記第１シャフトに回転可能に結合され、その周りで旋回可能であることが好ましい。
（形態３）上記のミクロトームにおいて、前記レバー部材の第１端部は、前記第１ギアホイール、前記第２ギアホイール、前記第２シャフトおよび前記ミクロトームのフレームのうちの一つに回転可能に結合されることが好ましい。
（形態４）上記のミクロトームにおいて、前記作動部材はカムまたは偏心ピンであることが好ましい。
（形態５）上記のミクロトームにおいて、前記作動部材の一つの軸端は前記ミクロトームのハウジング外に位置し、ユーザによって容易に操作され、また、前記作動部材の他の軸端は前記レバー部材の溝内に位置し前記レバー部材と係合されることが好ましい。
（形態６）上記のミクロトームにおいて、前記作動部材は、手動で操作可能であり、該作動部材の少なくとも一部分が前記ミクロトームのハウジング外に位置することが好ましい。
（形態７）上記のミクロトームにおいて、前記トランスミッションユニットは、該トランスミッションユニットの第１位置と第２位置との間で、前記シフトユニットによって手動でシフトできることが好ましい。
（形態８）上記のミクロトームにおいて、前記トランスミッションユニットは、さらに、該トランスミッションユニットの第１位置と第２位置で、前記トランスミッションユニットを保持するためのスプリングを含むことが好ましい。